(57)【要約】【課題】キー情報に対応した表示情報を迅速に表示させることができるマルチ情報表示システムを提供する。【解決手段】マルチ情報表示システム100は、マルチ情報表示装置120と複数の表示情報源140とデータベース131とを備える。マルチ情報表示装置120は、情報表示部121と情報入力部とＵＲＬ情報及び表示位置情報をデータベースから取得する情報取得部と情報表示部の表示位置にＵＲＬの表示情報を表示させる情報表示実行部とを備える。マルチ情報表示システム100は、マルチ情報表示装置120の情報表示部121にキー情報に対応した１乃至複数の表示情報を表示させることができるように構成されている。【選択図】図１
2007304917.tif 000002
【特許請求の範囲】
【請求項１】
ネットワークに接続され該ネットワークを介した情報通信ができるように構成されたマルチ情報表示装置と、
上記マルチ情報表示装置がアクセスできるように設けられキー情報に対応したＵＲＬ情報及び表示位置情報が格納されたデータベースと、
各々、上記ネットワークに接続されたＵＲＬで特定される表示情報を少なくとも１つ有する複数の表示情報源と、
を備えたマルチ情報表示システムであって、
上記マルチ情報表示装置は、
情報表示部と、
キー情報を入力するための情報入力部と、
上記情報入力部で入力されたキー情報に対応したＵＲＬ情報及び表示位置情報を上記データベースから取得する情報取得部と、
上記情報取得部で取得したＵＲＬ情報及び表示位置情報に基づいて、上記情報表示部の該表示位置に該ＵＲＬの表示情報を表示させる情報表示実行部と、
を備えており、
上記マルチ情報表示装置の上記情報表示部にキー情報に対応した１乃至複数の表示情報を表示させることができるように構成されたマルチ情報表示システム。
【請求項２】
上記データベースは、ＵＲＬで特定される画面表示プログラムが格納されていると共に、上記ネットワークを介した情報通信ができるように構成された画面制御用サーバに設けられており、
上記マルチ情報表示装置は、表示制御用コンピュータが設けられており、
上記画面表示プログラムは、上記ネットワークを介して上記表示制御用コンピュータに読み取られて、該表示制御用コンピュータに、
上記情報入力部で入力されたキー情報に対応したＵＲＬ情報及び表示位置情報を上記データベースから取得する情報取得手順と、
上記情報取得手順で取得したＵＲＬ情報及び表示位置情報に基づいて、上記情報表示部の該表示位置に該ＵＲＬの表示情報を表示させる情報表示実行手順と、
を実行させ、
上記マルチ情報表示装置の上記情報取得部が上記表示制御用コンピュータによる上記画面表示プログラムの上記情報取得手順の実行により構成されていると共に、上記情報表示実行部が上記表示制御用コンピュータによる上記画面表示プログラムの上記情報表示実行手順の実行により構成されたクライアント・サーバシステムである請求項１に記載されたマルチ情報表示システム。
【請求項３】
上記複数の表示情報源のうち少なくとも１つは、上記マルチ情報表示装置の上記情報表示部の画面上で上記情報入力部により入力可能なキー情報を含んだ、マルチ表示モード引数を有するマルチ表示モード用ＵＲＬ及び該マルチ表示モード引数を有さない通常表示モード用ＵＲＬのいずれによっても特定される表示情報を有し、
上記データベースには、上記マルチ表示モード用ＵＲＬ情報が格納されている請求項１に記載されたマルチ情報表示システム。
【請求項４】
上記マルチ情報表示装置は、ＵＲＬのマルチ表示モード引数の有無を識別し、マルチ表示モードの場合には、上記情報表示部にキー情報に対応した１乃至複数の表示情報をマルチ表示モードで表示させる一方、通常表示モードの場合には、上記情報表示部に所定の表示情報を通常表示モードで表示させるように構成されている請求項３に記載されたマルチ情報表示システム。
【請求項５】
ネットワークを介した情報通信ができるように構成されたマルチ情報表示装置であって、
情報表示部と、
キー情報を入力するための情報入力部と、
上記情報入力部で入力されたキー情報に対応したＵＲＬ情報及び表示位置情報をデータベースから取得する情報取得部と、
上記情報取得部で取得したＵＲＬ情報及び表示位置情報に基づいて、上記情報表示部の該表示位置に該ＵＲＬの表示情報を表示させる情報表示実行部と、
を備え、上記情報表示部にキー情報に対応した１乃至複数の表示情報を表示させることができるように構成されたマルチ情報表示装置。
【請求項６】
ネットワークを介した情報通信ができるように構成され、情報表示部とキー情報を入力するための情報入力部とを備えたマルチ情報表示装置に設けられた表示制御用コンピュータに、
上記情報入力部で入力されたキー情報に対応したＵＲＬ情報及び表示位置情報をデータベースから取得する情報取得手順と、
上記情報取得手順で取得したＵＲＬ情報及び表示位置情報に基づいて、上記情報表示部の該表示位置に該ＵＲＬの表示情報を表示させる情報表示実行手順と、
を実行させ、上記マルチ情報表示装置の上記情報表示部にキー情報に対応した１乃至複数の表示情報を表示させるために用いられるコンピュータプログラム。
【請求項７】
請求項６に記載されたコンピュータプログラムを記録したコンピュータ読み取り可能な記録媒体。
【発明の詳細な説明】
【技術分野】
【０００１】
本発明は、マルチ情報表示システム及びそれを構成するマルチ情報表示装置、並びに、それに用いられるコンピュータプログラム及びそれを記録した記録媒体に関する。
【背景技術】
【０００２】
マルチスクリーンは、複数の表示画面を有する画像表示装置であり、各種の監視システムや制御システム、或いは、会議室システムに導入されている。
【０００３】
特許文献１及び２には、かかるマルチスクリーンの画像表示技術が開示されている。
【特許文献１】特開２００４−３４１１８８号公報
【特許文献２】特開２００５−０７８０６９号公報
【発明の開示】
【発明が解決しようとする課題】
【０００４】
ところで、マルチスクリーンを用いた会議システムでは、議題に関係したネットワーク上の複数の表示情報をマルチスクリーンに表示させる、といったことが行われる。
【０００５】
ところが、表示画面毎に表示情報を設定していたのでは、全ての情報を表示するまでに時間を要し、また、会議の途中で表示情報を変更するような場合等には、その間、会議の進行を中断せざるを得ず、リアルタイムな情報に基づく迅速な意思決定を行うことが困難となってしまうという問題がある。
【０００６】
本発明は、かかる点に鑑みてなされたものであり、その目的とするところは、キー情報に対応した表示情報を迅速に表示させることができるマルチ情報表示システム及びそれを構成するマルチ情報表示装置、並びに、それに用いられるコンピュータプログラム及びそれを記録した記録媒体を提供することにある。
【課題を解決するための手段】
【０００７】
上記の目的を達成する本発明のマルチ情報表示システムは、
ネットワークに接続され該ネットワークを介した情報通信ができるように構成されたマルチ情報表示装置と、
上記マルチ情報表示装置がアクセスできるように設けられキー情報に対応したＵＲＬ情報及び表示位置情報が格納されたデータベースと、
各々、上記ネットワークに接続されたＵＲＬで特定される表示情報を少なくとも１つ有する複数の表示情報源と、
を備えたマルチ情報表示システムであって、
上記マルチ情報表示装置は、
情報表示部と、
キー情報を入力するための情報入力部と、
上記情報入力部で入力されたキー情報に対応したＵＲＬ情報及び表示位置情報を上記データベースから取得する情報取得部と、
上記情報取得部で取得したＵＲＬ情報及び表示位置情報に基づいて、上記情報表示部の該表示位置に該ＵＲＬの表示情報を表示させる情報表示実行部と、
を備えており、
上記マルチ情報表示装置の上記情報表示部にキー情報に対応した１乃至複数の表示情報を表示させることができるように構成されている。
【０００８】
本発明のマルチ情報表示装置は、ネットワークを介した情報通信ができるように構成されたものであって、
情報表示部と、
キー情報を入力するための情報入力部と、
上記情報入力部で入力されたキー情報に対応したＵＲＬ情報及び表示位置情報をデータベースから取得する情報取得部と、
上記情報取得部で取得したＵＲＬ情報及び表示位置情報に基づいて、上記情報表示部の該表示位置に該ＵＲＬの表示情報を表示させる情報表示実行部と、
を備え、上記情報表示部にキー情報に対応した１乃至複数の表示情報を表示させることができるように構成されている。
【０００９】
本発明のコンピュータプログラムは、ネットワークを介した情報通信ができるように構成され、情報表示部とキー情報を入力するための情報入力部とを備えたマルチ情報表示装置に設けられた表示制御用コンピュータに、
上記情報入力部で入力されたキー情報に対応したＵＲＬ情報及び表示位置情報をデータベースから取得する情報取得手順と、
上記情報取得手順で取得したＵＲＬ情報及び表示位置情報に基づいて、上記情報表示部の該表示位置に該ＵＲＬの表示情報を表示させる情報表示実行手順と、
を実行させ、上記マルチ情報表示装置の上記情報表示部にキー情報に対応した１乃至複数の表示情報を表示させるために用いられるものである。
【００１０】
本発明のコンピュータ読み取り可能な記録媒体は、上記コンピュータプログラムを記録したものである。
【発明の効果】
【００１１】
本発明によれば、キー情報に対応したＵＲＬ情報及び表示位置情報をデータベースから取得し、そのＵＲＬ情報及び表示位置情報に基づいて、情報表示部に表示情報をまとめて表示させるので、キー情報に対応した表示情報を迅速に表示させることができる。
【発明を実施するための最良の形態】
【００１２】
以下、実施形態を図面に基づいて詳細に説明する。
【００１３】
（実施形態１）
＜マルチ情報表示システム＞
図１は、実施形態１に係るマルチ情報表示システム100を示す。
【００１４】
このマルチ情報表示システム100は、各々、ネットワーク110に接続され、それを介した情報通信ができるように構成されたマルチ情報表示装置120、画面制御用サーバ130、及び、複数の部門サーバ141〜147により構成されている。このマルチ情報表示システム100は、後述のマルチ情報表示装置120の表示制御用コンピュータ122がクライアントを構成し、画面制御用サーバ130がアプリケーションサーバを構成するクライアント・サーバシステムである。
【００１５】
ここで、ネットワーク110は、例えば、イントラネット、インターネット、ＣＡＴＶ網、電話線、衛星通信網など各種のＷＡＮ、ＭＡＮ、ＬＡＮ等である。
【００１６】
−マルチ情報表示装置−
マルチ情報表示装置120は、マルチスクリーン（情報表示部）121とそれを表示制御するための表示制御用コンピュータ122とを備えている。
【００１７】
マルチスクリーン121は、例えば、通常表示のための基本画面を含み、縦横にそれぞれ所定数連続して設けられた複数の画面で構成されており、表示位置が画面全体における座標で特定される構成となっている。例えば、図１に示すものでは、横３画面及び縦２画面のＡ画面〜Ｆ画面の計６画面であり、Ａ画面が基本画面である。マルチスクリーン121の表示方式は、ＣＲＴ方式、液晶表示方式等、特に限定されない。
【００１８】
表示制御用コンピュータ122は、例えば、一般のパーソナルコンピュータと同構成であり、ＣＰＵ、メモリ、ハードディスク、通信用インターフェース、並びに、データ入力手段としてのマウス123及びキーボード124を備えている。ハードディスクには、ブラウザがインストールされている。
【００１９】
−画面制御用サーバ−
画面制御用サーバ130は、例えば、一般のサーバ用コンピュータと同構成であり、ＣＰＵ、メモリ、ハードディスク（データベース）131、通信用インターフェース等を備えている。
【００２０】
図２は、画面制御用サーバ130のハードディスク131を示す。
【００２１】
画面制御用サーバ130のハードディスク131には、各々、ＵＲＬで特定される、メニュー表示プログラム及び画面表示プログラム、並びに、複数の処理ナンバーのそれぞれに対応した初期画面情報（表示画面のＵＲＬ情報、表示パラメータ情報（座標情報（表示位置情報）、画面寸法情報）等）及び表示画面数情報、複数のキー情報のそれぞれに対応した表示画面数情報、表示画面のＵＲＬ情報、表示パラメータ情報（座標情報（表示位置情報）、画面寸法情報）及び引数情報、表示画面の表示情報の引数にキー情報の引数を紐付けするインクルードファイルが格納されている。なお、これらのデータは、画面制御用サーバ130のハードディスク131に予め登録されるものである。
【００２２】
メニュー表示プログラムは、コンピュータに、
基本画面位置にメニュー画面を表示させるＡ１手順と、
メニュー画面に表示された複数の処理ナンバーからの選択入力がなされるまで待機するＡ２手順と、
選択入力に基づいて処理ナンバーを取得するＡ３手順と、
処理ナンバーに対応した初期画面情報のＵＲＬにアクセスしてそれを取得するＡ４手順と、
取得した初期画面情報に基づいて、基本画面位置に画面上で入力可能なキー情報を含んだ所定のＵＲＬの基本表示情報を表示させるＡ５手順と、
処理ナンバーに対応した表示画面数情報のＵＲＬにアクセスしてそれを取得するＡ６手順と、
全画面表示が完了したか否かを判断し、ＹＥＳの場合に終了するＡ７手順と、
取得した初期画面情報に基づいて、所定の画面位置に、第１の表示画面を表示させた後にＡ７手順に戻るＡ８手順と、
を実行させるものである。
【００２３】
画面表示プログラムは、コンピュータに、
キー情報に対応した表示画面数情報のＵＲＬにアクセスしてそれを取得するＣ１手順と、
全画面表示が完了したか否かを判断し、ＹＥＳの場合には終了するＣ２手順と、
キー情報に対応した第１の表示画面の引数情報のＵＲＬにアクセスしてそれを取得するＣ３手順と、
インクルードファイルのＵＲＬにアクセスしてそれを読み取り、キー情報に含まれた引数情報を第１の表示画面の引数情報に受け渡すＣ４手順と、
第１の表示画面のＵＲＬ情報及び表示パラメータ情報（座標情報（表示位置情報）、画面寸法情報）のそれぞれのＵＲＬにアクセスしてそれらを取得するＣ５手順（情報取得手順）と、
取得したＵＲＬ情報及び座標情報に基づいて、所定画面位置に、第１の表示画面を表示させた後、Ｃ２手順に戻るＣ６手順（情報表示実行手順）と、
を実行させるものである。これらのプログラムは、ＣＤ−ＲＯＭやＤＶＤ等のコンピュータ読み取り可能な記録媒体での商品化が可能なものである。
【００２４】
後述の部門サーバ141〜147では、表示情報のうち画面上で入力可能なキー情報を含むものについては、同一表示情報が、マルチ表示モード引数を有するＵＲＬ及びマルチ表示モード引数を有さない通常表示モード用のＵＲＬの両方で特定される。ハードディスク131に格納されているＵＲＬ情報は、これらのうち前者のマルチ表示モード引数を有するマルチ表示モード用ＵＲＬ情報である。
【００２５】
初期画面情報は、処理ナンバーに対応して最初に表示する表示画面のＵＲＬ情報及び座標情報であるが、このＵＲＬ情報には、少なくとも画面上で入力可能なキー情報を含んだ表示情報を特定するマルチ表示モード用ＵＲＬ情報が含まれる。
【００２６】
−部門サーバ−
部門サーバ（表示情報源）141〜147は、例えば、Ｉ部門、II部門、III部門、IＶ部門、Ｖ部門、ＶI部門及びＶII部門のそれぞれに設けられている。
【００２７】
各部門サーバ141〜147は、例えば、一般のサーバ用コンピュータと同構成であり、ＣＰＵ、メモリ、ハードディスク、通信用インターフェース等を備えている。
【００２８】
各部門サーバ141〜147は、マルチ情報表示装置120及び画面制御用サーバ130の外部に存する別構成のものであって、ＵＲＬで特定される表示情報を少なくとも１つ有する。各部門サーバ141〜147が有する表示情報のうち、画面上で入力可能なキー情報を含むものについては、マルチ表示モード引数を有するマルチ表示モード用ＵＲＬ及びそのマルチ表示モード引数を有さない通常表示モード用ＵＲＬのいずれによっても特定される。
【００２９】
また、このようなキー情報を含む表示情報には、表示モード識別プログラムが含まれている。
【００３０】
この表示モード識別プログラムは、コンピュータに
キー情報が入力されて画面連携指示を行うＢ１手順と、
マルチ表示モード用ＵＲＬの表示画面でキー情報が入力されていれば、キー情報に当該キー情報を特定する引数情報を付すと共に画面表示プログラムのＵＲＬにアクセスして終了する一方、通常表示モード用ＵＲＬの表示画面でキー情報が入力されていれば、キー情報に対応した所定のＵＲＬにアクセスして終了するＢ２手順と、
を実行させるものである。このプログラムは、ＣＤ−ＲＯＭやＤＶＤ等のコンピュータ読み取り可能な記録媒体での商品化が可能なものである。
【００３１】
このように、マルチ表示モード引数の有無により、画面上で入力可能なキー情報を含む表示情報を、マルチ表示モード用としても、また、通常表示モード用としても、いずれにも活用することができる。
【００３２】
＜情報表示動作＞
このマルチ情報表示システム100による情報表示動作について説明する。なお、以下では、マルチスクリーン121の画面が上段のＡ画面〜Ｃ画面と下段のＤ画面〜Ｆ画面との６分割されたものを例とする。
【００３３】
図３は、メニュー表示プログラムのフローチャートを示す。
【００３４】
まず、マルチ情報表示装置120の表示制御用コンピュータ122を立ち上げて、ブラウザで画面制御用サーバ130のメニュー表示プログラムのＵＲＬにアクセスすると、メニュー表示プログラムを読み取り、ブラウザ上でメニュー表示プログラムがスタートし、ステップＡ１で、マルチスクリーン121の基本画面位置にメニュー画面を表示させ、続くステップＡ２に進む。例えば、図４（ａ）に示すように、Ａ画面位置にメニュー画面を表示させる。
【００３５】
ステップＡ２では、メニュー画面に表示された複数の処理ナンバーからの選択入力がなされるまで待機し、処理ナンバーの選択入力がなされたら続くステップＡ３に進む。このとき、処理ナンバーの選択入力は、マウス123を操作してマウスポインタにより選択してクリックしても、キーボード124の矢印キーにより選択してリターンキーを押してもいずれでもよい。
【００３６】
ステップＡ３では、ステップＡ２での選択入力に基づいて処理ナンバーを情報として取得し、続くステップＡ４に進む。例えば、処理ナンバーＮ11が選択入力された場合、それを情報として取得する。
【００３７】
ステップＡ４では、処理ナンバーに対応した初期画面情報のＵＲＬにアクセスしてそれを取得し、続くステップＡ５に進む。例えば、上記の例の場合、画面制御用サーバ130のハードディスク131には、処理ナンバーＮ11に対応して、Ａ画面位置に部門Ｉの部門サーバ141のＵＲＬ（Ｉ）の表示情報を表示すること及びＢ画面位置〜Ｆ画面位置にブランクを表示することが初期画面情報として格納されており、この初期画面情報を取得する。ここで、ＵＲＬ（Ｉ）は、画面上で入力可能なキー情報を含む表示情報を特定するマルチ表示モード用ＵＲＬである。なお、処理ナンバーＮ11に対応した初期画面情報が、Ａ画面位置〜Ｆ画面位置のそれぞれに相互に異なるＵＲＬの表示情報を表示することとされていてもよい。
【００３８】
ステップＡ５では、取得した初期画面情報に基づいて、マルチスクリーン121の基本画面位置に、画面上で入力可能なキー情報を含んだ所定のＵＲＬの基本表示情報を表示させる。例えば、上記の例の場合、図４（ｂ）に示すように、Ａ画面位置にＵＲＬ（Ｉ）の表示情報を表示させる。上記のように、ＵＲＬ（Ｉ）の表示情報は、画面上で入力可能なキー情報を含んでおり、これを表示した画面を以下では「指示画面」という。
【００３９】
ステップＡ６では、処理ナンバーに対応した表示画面数情報のＵＲＬにアクセスしてそれを取得し、続くステップＡ７に進む。例えば、上記の例の場合、画面制御用サーバ130のハードディスク131には、処理ナンバーＮ11に対応して、表示画面数が５であることが表示画面数情報として格納されており、この表示画面数情報を取得する。なお、表示画面数は全画面数から指示画面の１つを除いたものである。
【００４０】
ステップＡ７では、全画面表示が完了したか否かを判断し、ＹＥＳの場合には終了する一方、ＮＯの場合には続くステップＡ８に進む。
【００４１】
ステップＡ８では、取得した初期画面情報に基づいて、マルチスクリーン121の所定画面に、第１の表示画面を表示させた後、ステップＡ７に戻る。例えば、上記の例の場合、Ｂ画面位置にブランクを表示させる。
【００４２】
このステップＡ７〜ステップＡ８までの処理を表示画面数と同回数繰り返す。例えば、上記の例の場合、図４（ｃ）に示すように、Ｂ画面にブランクを表示させた後、Ｃ画面〜Ｆ画面のそれぞれに順次ブランクを表示させる。
【００４３】
図５は、表示モード識別プログラムのフローチャートを示す。
【００４４】
続いて、初期画面の指示画面の複数のキー情報から選択入力がなされると、指示画面の表示情報に含まれる表示モード識別プログラムがブラウザ上でスタートし、ステップＢ１では、画面連携指示を行い、続くステップＢ２に進む。キー情報の選択入力は、マウス123を操作してマウスポインタにより選択してクリックしても、キーボード124の矢印キーにより選択してリターンキーを押してもいずれでもよい。従って、マウス123、或いは、キーボード124が情報入力部を構成する。
【００４５】
ステップＢ２では、マルチ表示モード用ＵＲＬの表示画面でキー情報が入力されたものか否かを判断し、ＹＥＳの場合には、続くステップＢ３に進んで、キー情報に当該キー情報を特定する引数情報を付すと共に画面表示プログラムのＵＲＬにアクセスして終了する一方、ＮＯの場合には、ステップＢ４に進んで、キー情報に対応した所定のＵＲＬにアクセスして終了する。例えば、上記の例の場合、メニュー表示プログラムによりＡ画面に表示された指示画面はマルチ表示モード用ＵＲＬの表示画面に該当するので、キー情報Ｘ11が選択入力されたとすると、キー情報Ｘ11に当該キー情報Ｘ11を特定する引数情報を付すと共に画面表示プログラムのＵＲＬにアクセスして終了する。なお、ステップＢ３に進むのは、同一の指示画面をマルチ表示モード引数を有さない通常表示モード用ＵＲＬにより特定してマルチスクリーン121の基本画面に表示させた場合であり、この場合、指示画面の複数のキー情報から選択入力がなされると、キー情報に対応した所定のＵＲＬにアクセスし、そのＵＲＬの表示情報をマルチスクリーン121の基本画面（Ａ画面）に表示させる。
【００４６】
図６は、画面表示プログラムのフローチャートを示す。
【００４７】
そして、ブラウザが画面表示プログラムのＵＲＬにアクセスすると、画面表示プログラムを読み取り、ブラウザ上で画面表示プログラムがスタートし、ステップＣ１では、キー情報に対応した表示画面数情報のＵＲＬにアクセスしてそれを取得し、続くステップＣ２に進む。例えば、上記の例の場合、画面制御用サーバ130のハードディスク131には、キー情報Ｘ11に対応して、表示画面数が５であることが表示画面数情報として格納されており、この表示画面数情報を取得する。
【００４８】
ステップＣ２では、全画面表示が完了したか否かを判断し、ＹＥＳの場合には終了し、ＮＯの場合には、続くステップＣ３に進む。
【００４９】
ステップＣ３では、キー情報に対応した第１の表示画面の引数情報のＵＲＬにアクセスしてそれを取得し、続くステップＣ４に進む。例えば、上記の例の場合、画面制御用サーバ130のハードディスク131には、キー情報Ｘ11に対応して、第１の表示画面である部門IIの部門サーバ142におけるＵＲＬ（II）の表示画面の表示情報の引数情報が格納されており、この引数情報を取得する。
【００５０】
ステップＣ４では、インクルードファイルのＵＲＬにアクセスしてそれを読み取り、キー情報に含まれた引数情報を第１の表示画面の引数情報に受け渡し、続くステップＣ５に進む。例えば、上記の例の場合、第１の表示画面の表示画面の表示情報の引数をキー情報Ｘ11の引数に紐付けし、表示情報をキー情報Ｘ11に対応したものとする。
【００５１】
ステップＣ５では、第１の表示画面のＵＲＬ情報及び表示パラメータ情報（座標情報（表示位置情報）、画面寸法情報）のそれぞれのＵＲＬにアクセスしてそれらを取得し、続くステップＣ６に進む。例えば、上記の例の場合、画面制御用サーバ130のハードディスク131には、キー情報Ｘ11に対応して、第１の表示画面である部門IIの部門サーバ142におけるＵＲＬ（II）の表示画面のＵＲＬ情報（ＵＲＬ（II））及び表示パラメータ情報（Ｂ画面）が格納されており、これらのＵＲＬ情報（ＵＲＬ（II））及び表示パラメータ情報座標情報（画面Ｂ）を取得する。従って、この処理を行う表示制御用コンピュータ122のＣＰＵが情報取得部を構成する。
【００５２】
ステップＣ６では、取得したＵＲＬ情報及び座標情報に基づいて、マルチスクリーン121の所定画面位置に、第１の表示画面を表示させた後、ステップＣ２に戻る。例えば、上記の例の場合、図７（ａ）に示すように、Ｂ画面位置にＵＲＬ（II）の表示情報を表示させる。従って、この処理を行う表示制御用コンピュータ122のＣＰＵが情報表示実行部を構成する。
【００５３】
このステップＣ２〜ステップＣ６までの処理を表示画面数と同回数繰り返す。例えば、上記の例の場合、図７（ｂ）に示すように、Ｂ画面にＵＲＬ（II）の表示情報を表示させた後、Ｃ画面にＵＲＬ（III）の表示情報、Ｄ画面にＵＲＬ（IＶ）の表示情報、Ｅ画面にＵＲＬ（Ｖ）の表示情報、及び、Ｆ画面にＵＲＬ（ＶI）の表示情報を順次表示させる。
【００５４】
次に、初期画面における指示画面以外の表示画面の中に指示画面、つまり、画面上で入力可能なキー情報を含み、マルチ表示モード用ＵＲＬで特定される表示情報が表示された画面が含まれており、その指示画面の画面上でキー情報が入力される場合について説明する。
【００５５】
まず、初期画面の指示画面以外の指示画面の複数のキー情報からの選択入力がなされると、表示モード識別プログラムがスタートし、上記と同様に、キー情報に当該キー情報を特定する引数情報を付すと共に画面表示プログラムのＵＲＬにアクセスして終了する。例えば、上記の例の場合、画面表示プログラムにより表示されたＥ画面は指示画面であり、これはマルチ表示モード用ＵＲＬの表示画面に該当するので、キー情報Ｙ11が選択入力されたとすると、キー情報Ｙ11に当該キー情報Ｙ11を特定する引数情報を付すと共に再度画面表示プログラムのＵＲＬにアクセスして終了する。
【００５６】
そして、ブラウザが画面表示プログラムのＵＲＬにアクセスすると、画面表示プログラムを読み取り、ブラウザ上で画面表示プログラムがスタートし、ステップＣ１では、キー情報に対応した表示画面数情報のＵＲＬにアクセスしてそれを取得し、続くステップＣ２に進む。例えば、上記の例の場合、画面制御用サーバ130のハードディスク131には、キー情報Ｙ11に対応して、表示画面数が２であることが表示画面数情報として格納されており、この表示画面数情報を取得する。
【００５７】
ステップＣ２では、全画面表示が完了したか否かを判断し、ＹＥＳの場合には終了し、ＮＯの場合には、続くステップＣ３に進む。
【００５８】
ステップＣ３では、キー情報に対応した第１の表示画面の引数情報のＵＲＬにアクセスしてそれを取得し、続くステップＣ４に進む。例えば、上記の例の場合、画面制御用サーバ130のハードディスク131には、キー情報Ｙ11に対応して、第１の表示画面である部門ＶIIの部門サーバ147におけるＵＲＬ（ＶII）の表示画面の表示情報の引数情報が格納されており、この引数情報を取得する。
【００５９】
ステップＣ４では、インクルードファイルのＵＲＬにアクセスしてそれを読み取り、キー情報に含まれた引数情報を第１の表示画面の引数情報に受け渡し、続くステップＣ５に進む。例えば、上記の例の場合、第１の表示画面の表示画面の表示情報の引数をキー情報Ｙ11の引数に紐付けし、表示情報をキー情報Ｙ11に対応したものとする。
【００６０】
ステップＣ５では、第１の表示画面のＵＲＬ情報及び表示パラメータ情報（座標情報（表示位置情報）、画面寸法情報）のそれぞれのＵＲＬにアクセスしてそれらを取得し、続くステップＣ６に進む。例えば、上記の例の場合、画面制御用サーバ130のハードディスク131には、キー情報Ｙ11に対応して、第１の表示画面である部門ＶIIの部門サーバ147におけるＵＲＬ（ＶII）の表示画面のＵＲＬ情報（ＵＲＬ（ＶII））及び表示パラメータ情報（Ｄ画面）が格納されており、これらのＵＲＬ情報（ＵＲＬ（ＶII））及び表示パラメータ情報座標情報（Ｄ画面）を取得する。
【００６１】
ステップＣ６では、取得したＵＲＬ情報及び座標情報に基づいて、マルチスクリーン121の所定画面位置に、第１の表示画面を表示させた後、ステップＣ２に戻る。例えば、上記の例の場合、Ｄ画面位置にＵＲＬ（ＶII）の表示情報を表示させる。
【００６２】
このステップＣ２〜ステップＣ６までの処理を表示画面数と同回数繰り返す。例えば、上記の例の場合、図７（ｃ）に示すように、Ｄ画面にＵＲＬ（ＶII）の表示情報を表示させた後、Ｆ画面にＵＲＬ（III）’の表示情報を表示させる。
【００６３】
以上の構成のマルチ情報表示システム100によれば、キー情報に対応したＵＲＬ情報及び表示位置情報を含む表示パラメータ情報を画面制御用サーバ130のハードディスク131から取得し、そのＵＲＬ情報及び表示パラメータ情報に基づいて、マルチスクリーン121に表示情報をまとめて表示させるので、キー情報に対応すると共に紐付けされた１乃至複数の表示情報を迅速に表示させることができる。
【００６４】
また、このマルチ情報表示システム100は、既存のインフラに対して、メニュー表示プログラム及び画面表示プログラム、並びに、複数の処理ナンバーのそれぞれに対応した初期画面情報等をデータベース化した画面制御用サーバ130を新設しただけのものであるので、容易に構築することができる。
【００６５】
さらに、メニュー表示プログラム及び画面表示プログラムは、汎用性を有する構成であるので、データベースに予め所望のデータを登録しておけば、種々の用途のマルチ情報表示システムを構成することができる。
【００６６】
（実施形態２）
＜マルチ情報表示システム＞
図８は、実施形態２に係るマルチ情報表示システム200を示す。
【００６７】
このマルチ情報表示システム200は、各々、ネットワーク210に接続され、それを介した情報通信ができるように構成されたマルチ情報表示装置220、及び、複数の部門サーバ241〜245により構成されている。
【００６８】
ここで、ネットワーク210は、例えば、イントラネット、インターネット、ＣＡＴＶ網、電話線、衛星通信網など各種のＷＡＮ、ＭＡＮ、ＬＡＮ等である。
【００６９】
−マルチ情報表示装置−
マルチ情報表示装置220は、ディスプレイ（情報表示部）221とそれを表示制御するための表示制御用コンピュータ222とを備えている。
【００７０】
ディスプレイ221は、例えば、パーソナルコンピュータ用のものである。このディスプレイ221は、全画面が通常表示のための基本画面である。表示方式は、ＣＲＴ方式、液晶表示方式等、特に限定されない。
【００７１】
表示制御用コンピュータ222は、例えば、一般のパーソナルコンピュータと同構成であり、ＣＰＵ、メモリ、ハードディスク（データベース）225、通信用インターフェース、並びに、データ入力手段としてのマウス223及びキーボード224を備えている。
【００７２】
図９は、表示制御用コンピュータ222のハードディスク225を示す。
【００７３】
表示制御用コンピュータ222のハードディスク225には、各々、ＵＲＬで特定される、メニュー表示プログラム及び画面表示プログラム、並びに、複数の処理ナンバーのそれぞれに対応した初期画面情報（表示画面のＵＲＬ情報、表示パラメータ情報（座標情報（表示位置情報）、画面寸法情報）等）及び表示画面数情報、複数のキー情報のそれぞれに対応した表示画面数情報、表示画面のＵＲＬ情報、表示パラメータ情報（座標情報（表示位置情報）、画面寸法情報）及び引数情報、表示画面の表示情報の引数にキー情報の引数を紐付けするインクルードファイルが格納されている。なお、これらのデータは、ハードディスク225に予め登録されるものである。また、このハードディスク225には、ブラウザがインストールされている。
【００７４】
メニュー表示プログラム及び画面表示プログラムは、実施形態１のものと同一である。
【００７５】
−部門サーバ−
部門サーバ241〜245は、ロジスティクス部門、消費者相談センター部門、第１営業部門、第２営業部門及び本社部門のそれぞれに設けられている。
【００７６】
ロジスティクス部門の部門サーバ241は、ＵＲＬ（Ｉ）で特定される在庫の表示情報を有する。消費者相談センター部門の部門サーバ242は、ＵＲＬ（II）で特定されるエコーシステムの表示情報を有する。第１営業部門の部門サーバ243は、ＵＲＬ（III）で特定される受注の表示情報を有する。第２営業部門の部門サーバ244は、ＵＲＬ（IＶ）で特定される販売計画の表示情報を有する。本社部門の部門サーバ245は、ＵＲＬ（Ｖ）で特定される電話帳の表示情報を有する。部門サーバ241〜245は、マルチ情報表示装置220の外部に存する別構成のものである。
【００７７】
各部門サーバ241〜245のその他の構成は、実施形態１のものと同様である。
【００７８】
＜情報表示動作＞
このマルチ情報表示システム200による情報表示動作について説明する。なお、以下では、処理ナンバーＮ21を選択入力し、且つ、キー情報Ｘ21を選択入力するものとして説明する。
【００７９】
まず、マルチ情報表示装置220の表示制御用コンピュータ222を立ち上げて、ブラウザでメニュー表示プログラムのＵＲＬにアクセスすると、メニュー表示プログラムを読み取り、ブラウザ上でメニュー表示プログラムがスタートし、図１０（ａ）に示すように、ディスプレイ221の全画面にメニュー画面を表示させる。
【００８０】
次いで、メニュー画面に表示された複数の処理ナンバーからの選択入力がなされるまで待機する。
【００８１】
次いで、処理ナンバーＮ21の選択入力がなされると、それに基づいて処理ナンバーＮ21を情報として取得する。
【００８２】
次いで、処理ナンバーＮ21に対応して、図９に示すＡ画面領域にロジスティクス部門の部門サーバ241におけるＵＲＬ（Ｉ）の在庫の表示情報を表示すること及び図９に示すＢ画面領域〜Ｆ画面領域にブランクを表示することの初期画面情報を取得する。
【００８３】
次いで、図１０（ｂ）に示すように、Ａ画面領域にＵＲＬ（Ｉ）の在庫の表示情報を表示させる。これが指示画面となる。
【００８４】
次いで、処理ナンバーＮ21に対応して、表示画面数が４であるという表示画面数情報を取得する。
【００８５】
次いで、全画面表示が完了したか否かを判断し、ＹＥＳの場合には終了する。
【００８６】
次いで、Ｂ画面領域にブランクを表示させる。
【００８７】
同様に、後半の２つの処理を表示画面数と同回数繰り返し、図１０（ｃ）に示すように、Ｂ画面領域にブランクを表示させた後、Ｃ画面領域〜Ｅ画面領域にもブランクを表示させる。
【００８８】
続いて、初期画面の指示画面の複数のキー情報Ｘ21（例えば、品番）から選択入力がなされると、指示画面の表示情報に含まれる表示モード識別プログラムがブラウザ上でスタートし、画面連携指示を行う。
【００８９】
次いで、キー情報Ｘ21の選択入力がなされると、キー情報Ｘ21に当該キー情報Ｘ21を特定する引数情報を付すと共に画面表示プログラムのＵＲＬにアクセスして終了する。
【００９０】
そして、ブラウザが画面表示プログラムのＵＲＬにアクセスすると、画面表示プログラムを読み取り、ブラウザ上で画面表示プログラムがスタートし、キー情報Ｘ21に対応して、表示画面数が４であるという表示画面数情報を取得する。
【００９１】
次いで、全画面表示が完了したか否かを判断し、ＹＥＳの場合には終了する。
【００９２】
次いで、キー情報Ｘ21に対応して、第１の表示画面である消費者相談センター部門の部門サーバ242におけるＵＲＬ（II）の表示画面のエコーシステムの表示情報の引数情報を取得する。
【００９３】
次いで、第１の表示画面の表示画面のエコーシステムの表示情報の引数をキー情報Ｘ21の引数に紐付けし、エコーシステムの表示情報をキー情報Ｘ21に対応したものとする。
【００９４】
次いで、キー情報Ｘ21に対応して、第１の表示画面である消費者相談センター部門の部門サーバ242におけるＵＲＬ（II）のエコーシステムの表示画面のＵＲＬ情報（ＵＲＬ（II））及び表示パラメータ情報（Ｂ画面領域）を取得する。
【００９５】
次いで、図１１（ａ）に示すように、Ｂ画面領域にＵＲＬ（II）のエコーシステムの表示情報を表示させる。
【００９６】
後半の４つの処理を表示画面数と同回数繰り返し、図１１（ｂ）に示すように、Ｂ画面領域にＵＲＬ（II）のエコーシステムの表示情報を表示させた後、Ｃ画面領域にＵＲＬ（III）の受注の表示情報、Ｄ画面領域にＵＲＬ（IＶ）の販売計画の表示情報、及び、Ｅ画面領域にＵＲＬ（Ｖ）の電話帳の表示情報を順次表示させる。
【００９７】
初期画面における指示画面以外の表示画面の中に指示画面が含まれており、その指示画面の画面上でキー情報が入力される場合の動作は実施形態１と同一である。
【００９８】
以上の構成のマルチ情報表示システム200によれば、キー情報に対応したＵＲＬ情報及び表示位置情報を含む表示パラメータ情報をマルチ情報表示装置220のハードディスク225から取得し、そのＵＲＬ情報及び表示パラメータ情報に基づいて、ディスプレイ221に表示情報をまとめて表示させるので、キー情報に対応すると共に紐付けされた１乃至複数の表示情報を迅速に表示させることができる。
【００９９】
また、マルチ情報表示システム200は、既存の一般端末のコンピュータのハードディスク225を、メニュー表示プログラム及び画面表示プログラム、並びに、複数の処理ナンバーのそれぞれに対応した初期画面情報等を格納したデータベースとしただけのものであるので、容易に構築することができる。
【０１００】
（その他の実施形態）
上記実施形態１及び２では、ＵＲＬ情報及び表示パラメータ情報を逐次取得して表示させる画面表示プログラムの構成としたが、特にこれに限定するものではなく、表示させるＵＲＬ情報及び表示パラメータ情報を一度に取得し、その後にそれらを順次まとめて表示させる構成としてもよい。
【産業上の利用可能性】
【０１０１】
本発明は、マルチ情報表示システム及びそれを構成するマルチ情報表示装置、並びに、それに用いられるコンピュータプログラム及びそれを記録した記録媒体について有用である。
【図面の簡単な説明】
【０１０２】
【図１】実施形態１に係る情報表示システムの構成を示す図である。
【図２】画面制御用サーバのハードディスクを示す図である。
【図３】メニュー表示プログラムのフローチャートである。
【図４】メニュー表示プログラムを実行したときのマルチスクリーンの画面を示す図である。
【図５】表示モード識別プログラムのフローチャートである。
【図６】画面表示プログラムのフローチャートである。
【図７】メニュー表示プログラムを実行したときのマルチスクリーンの画面を示す図である。
【図８】実施形態２に係る情報表示システムの構成を示す図である。
【図９】表示制御用コンピュータのハードディスクを示す図である。
【図１０】メニュー表示プログラムを実行したときのディスプレイの画面を示す図である。
【図１１】メニュー表示プログラムを実行したときのマルチスクリーンの画面を示す図である。
【符号の説明】
【０１０３】
100，200  マルチ情報表示システム
110，210  ネットワーク
120，220  マルチ情報表示装置
121  マルチスクリーン（情報表示部）
122，222  表示制御用コンピュータ
123，223  マウス（情報入力部）
124，224  キーボード（情報入力部）
130  画面制御用サーバ
131，225  ハードディスク（データベース）
141〜147，241〜245  部門サーバ（表示情報源）
221  ディスプレイ（情報表示部）
【図１】
2007304917.tif 000003
【図２】
2007304917.tif 000004
【図３】
2007304917.tif 000005
【図４】
2007304917.tif 000006
【図５】
2007304917.tif 000007
【図６】
2007304917.tif 000008
【図７】
2007304917.tif 000009
【図８】
2007304917.tif 000010
【図９】
2007304917.tif 000011
【図１０】
2007304917.tif 000012
【図１１】
2007304917.tif 000013